(57)【要約】【課題】書籍に貼付された場合においても、情報の書き込み／読み出し率を向上させる。【解決手段】  帯状に形成されたアンテナ部２と、アンテナ部２と長さが異なり、かつ、アンテナ部２と略平行に帯状に形成された導電体部３と、アンテナ部２に接続されたＩＣチップ１とをベース基材３０に挟みこみ、アンテナ部２と導電体部３のうち長い方となるアンテナ部２の長さを、ＩＣチップ１に対する情報の書き込み及び読み出しに用いられる周波数とベース基材３０の透磁率及び誘電率とから求まる波長をλとした場合、λ／２以下とし、このベース基材３０に、折り線１２が設けられた表面シート１０を貼付する。【選択図】図１
2006065745.tif 000002
【特許請求の範囲】
【請求項１】
ベース基材の一方の面に粘着剤を介して剥離紙が貼付され、前記ベース基材が折り曲げ可能な折り線を有する書籍管理用ラベルであって、
ベース基材上に、２つの帯状の導電領域が、前記折り線と略平行に、かつ互いに直列に並ぶように所定の間隔を具備して形成されたアンテナ部と、
ベース基材上に、前記アンテナ部と長さが異なり、かつ、該アンテナ部と略平行に帯状に形成された少なくとも１つの導電体部と、
前記２つの導電領域に接続されて前記ベース基材上に搭載されたＩＣチップとを有し、
前記アンテナ部と前記導電体部のうち最も長いものの長さが、前記ＩＣチップに対する情報の書き込み及び読み出しに用いられる周波数と前記ベース基材の透磁率及び誘電率とから求まる波長をλとした場合、λ／２以下である書籍管理用ラベル。
【請求項２】
請求項１に記載の書籍管理用ラベルにおいて、
前記アンテナ部及び前記導電体部は、長さが最も短いものが、前記折り線側となるように前記ベース基材上に形成されていることを特徴とする書籍管理用ラベル。
【発明の詳細な説明】
【技術分野】
【０００１】
本発明は、書籍に貼付可能に構成され、非接触状態にて情報の読み出しが可能な書籍管理用ラベルに関する。
【背景技術】
【０００２】
従来より、書籍を管理する場合、バーコードや識別番号等のような書籍を管理するための識別情報を書籍の表紙あるいは裏表紙に記載したり、あるいは、該識別情報が印字されたラベルを書籍の表紙あるいは裏表紙に貼付したりしている。このバーコードや識別番号等の識別情報を書籍と対応づけて管理しておき、書棚等の書籍の保管場所において、書籍からバーコードや識別番号等の識別情報を読み取ることにより、書籍の在庫管理を行っている。
【０００３】
また、近年においては、非接触状態にて情報の書き込み及び読み出しが可能な非接触型ＩＣラベルを書籍に貼付しておき、この非接触型ＩＣラベルに書き込まれた情報を読み出すことにより書籍の管理を行うシステムが考えられている（例えば、特許文献１，２参照。）。このような非接触型ＩＣラベルにおいては、非接触型ＩＣラベルに対して情報の書き込み及び読み出しを行う情報書込／読出装置との間にて所定の周波数を用いて通信を行うことにより、情報書込／読出装置から情報が書き込まれたり、情報書込／読出装置にて情報が読み出されたりすることになる。そのため、非接触型ＩＣラベルは、上記周波数にて共振するようにアンテナが設計されている。
【特許文献１】特開２００１−２４０２１７号公報
【特許文献２】特開２００１−１６３４１７号公報
【発明の開示】
【発明が解決しようとする課題】
【０００４】
上述したような非接触型ＩＣラベルが書籍に貼付された場合、書籍が誘電体で構成されているため、非接触型ＩＣラベルのアンテナの周波数特性が低い周波数方向にシフトすることになる。そのため、アンテナの共振点が、情報書込／読出装置にて非接触型ＩＣラベルに対して情報の書き込み及び読み出しに用いる周波数に対してずれてしまい、非接触型ＩＣラベルに対する情報の書き込み及び読み出しができなくなってしまう虞れがある。
【０００５】
特に、近年、小型化及び通信距離を確保するために用いられている、２．４５ＧＨｚの周波数帯を利用して通信を行うＩＣチップが搭載されたものにおいては、このような現象が顕著に生じてしまう。
【０００６】
本発明は、上述したような従来の技術が有する問題点に鑑みてなされたものであって、書籍に貼付された場合においても、情報の書き込み／読み出し率を向上させることができる書籍管理用ラベルを提供することを目的とする。
【課題を解決するための手段】
【０００７】
上記目的を達成するために本発明は、
ベース基材の一方の面に粘着剤を介して剥離紙が貼付され、前記ベース基材が折り曲げ可能な折り線を有する書籍管理用ラベルであって、
ベース基材上に、２つの帯状の導電領域が、前記折り線と略平行に、かつ互いに直列に並ぶように所定の間隔を具備して形成されたアンテナ部と、
ベース基材上に、前記アンテナ部と長さが異なり、かつ、該アンテナ部と略平行に帯状に形成された少なくとも１つの導電体部と、
前記２つの導電領域に接続されて前記ベース基材上に搭載されたＩＣチップとを有し、
前記アンテナ部と前記導電体部のうち最も長いものの長さが、前記ＩＣチップに対する情報の書き込み及び読み出しに用いられる周波数と前記ベース基材の透磁率及び誘電率とから求まる波長をλとした場合、λ／２以下である。
【０００８】
また、前記アンテナ部及び前記導電体部は、長さが最も短いものが、前記折り線側となるように前記ベース基材上に形成されていることを特徴とする。
【０００９】
上記のように構成された本発明においては、互いに長さが異なり、かつ、略平行にベース基材に挟まれて設けられたアンテナ部と少なくとも１つの導電体部とのうち最も長いものの長さが、アンテナ部に接続されたＩＣチップに対する情報の書き込み及び読み出しに用いる周波数とベース基材の透磁率及び誘電率とから求まる波長をλとした場合、λ／２以下となっているので、情報の書き込み及び読み出しに用いる周波数において、アンテナ部と少なくとも１つの導電体部とのうち最も長いものにおける共振点が生じ、また、その周波数よりも高い周波数において、アンテナ部と少なくとも１つの導電体部とのうちそれ以外のものにおける共振点が生じる。
【００１０】
このような書籍管理用ラベルは、ベース基材に設けられた折り線にて折り曲げられ、折り線を介して一方の領域が、ベース基材の一方の面に設けられた粘着剤によって書籍の１つの面に貼付され、折り線を介して他方の領域が、書籍を構成する面のうちベース基材の一方の領域が貼付された面に隣接する面に粘着剤によって貼付されることになる。
【００１１】
このように書籍に貼付された書籍管理用ラベルにおいては、書籍に貼付されることにより周波数特性が低い周波数方向にシフトした場合であっても、情報の書き込み及び読み出しに用いる周波数よりも高い周波数にて生じた共振点が、情報の書き込み及び読み出しに用いる周波数近傍にシフトすれば、ＩＣチップに対する情報の書き込み及び読み出しが可能となり、情報の書き込み／読み出し率が向上する。
【００１２】
また、アンテナ部及び導電体部が、その長さが最も短いものが、折り線側となるようにベース基材上に形成されている場合は、ベース基材の折り線を介して他方の領域が貼付された面側における通信可能距離が最も長くなる。
【発明の効果】
【００１３】
以上説明したように本発明においては、書籍の隣接する２つの面に貼付可能に構成され、ベース基材上に形成されたアンテナ部と導電体部のうち最も長いものの長さが、ＩＣチップに対する情報の書き込み及び読み出しに用いられる周波数とベース基材の透磁率及び誘電率とから求まる波長をλとした場合、λ／２以下となっているため、複数の共振点が存在し、書籍に貼付されることにより周波数特性が低い周波数方向にシフトした場合であっても、ＩＣチップに対する情報の書き込み／読み出し率を向上させることができる。
【００１４】
また、アンテナ部及び導電体部が、その長さが最も短いものが、折り線側となるようにベース基材上に形成されているものにおいては、ベース基材の折り線を介して他方の領域が貼付された面側における通信可能距離が最も長くなるため、ベース基材の他方の領域が書籍の背表紙に貼付されるように書籍管理用ラベルを書籍に貼付すれば、書籍が書棚等に収納された状態でＩＣチップに対する情報の書き込みを行うことができる。
【発明を実施するための最良の形態】
【００１５】
以下に、本発明の実施の形態について図面を参照して説明する。
【００１６】
（第１の実施の形態）
図１は、本発明の書籍管理用ラベルの第１の実施の形態を示す図であり、（ａ）は上面図、（ｂ）は（ａ）に示したＡ−Ａ’断面図、（ｃ）は（ｂ）に示した樹脂シート３１上の構成を示す図である。
【００１７】
本形態は図１に示すように、粘着剤２０ｃを介して互いに接着された樹脂シート３１とフィルムシート３２とからなるベース基材３０のフィルムシート３２側に第１の粘着剤２０ａを介して剥離紙４０が貼付され、また、ベース基材３０の樹脂シート３１側に第２の粘着剤２０ｂを介して表面シート１０が貼付されて構成されている。
【００１８】
樹脂シート３１上には、２つの帯状の導電領域２ａ，２ｂからなるアンテナ部２と、帯状の導電体部３とが形成されており、また、２つの導電領域２ａ，２ｂは、互いに直列に並ぶように所定の間隔を有して形成されており、この２つの導電領域２ａ，２ｂに接続されるようにＩＣチップ１が搭載されて構成されている。ＩＣチップ１は、アンテナ部２を介して非接触状態にて情報の書き込み及び読み出しが可能なものである。また、アンテナ部２と導電体部３とは互いに略平行に形成されており、アンテナ部２の長さｌ1と導電体部３の長さｌ2とは、ｌ1＞ｌ2の関係となっている。さらに、ＩＣチップ１に対する情報の書き込み及び読み出しは、外部に設けられた情報書込／読出装置（不図示）によって特定の周波数を用いて行われることになるが、その周波数とベース基材３０の透磁率及び誘電率とによって求まる波長をλとした場合、アンテナ部２と導電体部３とのうち長い方となるアンテナ部２の長さｌ1は、λ／２となっている。また、アンテナ部２と導電体部３との間隔ｄは、λ／６となっている。
【００１９】
また、表面シート１０は、感熱紙、ユポ紙あるいは紙からなり、ベース基材３０に対して長手方向がさらに長くなっており、折り曲げ可能な折り線１２が形成され、折り線１２を介してベース基材３０が貼付された側が第１の領域１１ａとなり、折り線１２を介して反対側が、第１の領域１１ａよりも狭い第２の領域１１ｂとなっている。なお、表面シート１０のベース基材３０が貼付された面側の全面には粘着剤２０ｂが塗布されており、この粘着剤２０ｂによって、第１の領域１１ａはベース基材３０と、第２の領域１１ｂは剥離紙４０とそれぞれ接着されている。
【００２０】
図２は、図１に示した書籍管理用ラベル１００の使用方法を説明するための図である。
【００２１】
図２に示すように、図１に示したような書籍管理用ラベル１００は、剥離紙４０が剥離され、表面シート１０の折り線１２にて折り曲げられ、第１の領域１１ａが表紙に、また、第２の領域１１ｂが背表紙に貼付されるように貼付して使用される。
【００２２】
図１に示した書籍管理用ラベル１００においては、樹脂シート３１上に形成されたアンテナ部２及び導電体部３が、アンテナ部２の長さｌ1と導電体部３の長さｌ2との関係が、ｌ1＞ｌ2となるように形成されているため、導電体部３がアンテナ部２の導波器として作用し、また、導波器として作用する導電体部３が折り線１２側に形成されているため、電波が折り線１２側に導かれることになる。それにより、書籍管理用ラベル１００が図２に示したように書籍９０に貼付された場合、書籍９０の背表紙側における通信距離が最大となり、書籍９０が書棚等に収納された状態において、背表紙側から情報の書き込みあるいは読み出しを行うことができる。
【００２３】
以下に、上述した書籍管理用ラベル１００の動作について説明する。
【００２４】
図３は、図１に示した書籍管理用ラベル１００の動作を説明するための図であり、ＩＣチップ１に対する情報の書き込みあるいは読み出しに用いる周波数に対する非接触型情報記録媒体のリターンロスを示す。
【００２５】
図１に示した書籍管理用ラベル１００においては、アンテナ部２の長さｌ1と導電体部３の長さｌ2とが互いに異なり、かつ、アンテナ部２と導電体部３とのうち長い方となるアンテナ部２の長さｌ1が、ＩＣチップ１に対する情報の書き込み及び読み出しに用いる周波数とベース基材３０の透磁率及び誘電率とから求まる波長λの１／２となっているため、図３に示すように、アンテナ部２における共振点となるピークポイントＡと、導電体部３における共振点となるピークポイントＢとの２つの共振点が存在することになる。
【００２６】
ここで、上述した波長λは、ＩＣチップ１に対する情報の書き込みあるいは読み出しに用いる周波数をｆ、ベース基材３０の比透磁率をμｓ、ベース基材３０の比誘電率をεｓとした場合、光速ｃを用いて、λ＝ｃ／（ｆ×（μｓ×εｓ）1/2）により一義的に求めることができる。例えば、ＩＣチップ１に対する情報の書き込みあるいは読み出しに用いる周波数を２．４５ＧＨｚとし、樹脂シート３１及びフィルムシート３２をＰＥＴ（比透磁率：１、比誘電率：３）から構成した場合は、３．０×１０8[ｍ]／（２．４５×１０9×（１×３）1/2）≒０．０７[ｍ]となる。そのため、この場合は、アンテナ部２の長さを３．５ｃｍとし、導電体部３の長さを３．５ｃｍよりも短くすれば、図３に示すように２つの共振点を得ることができる。なお、この共振点においては、アンテナ部２及び導電体部３が形成されるベース基材３０の誘電率にも影響する。ベース基材３０として、例えばセラミック等といった誘電率の高いものを用いた場合、それにより、アンテナ部２及び導電体部３における周波数特性が低い周波数方向にずれる。そのため、ベース基材３０の誘電率によっては、アンテナ部２と導電体部３とのうち長い方となるアンテナ部２の長さｌ1を、λ／２以下としてλ／６程度まで短くすることができる。
【００２７】
ここで、上述したように２つの共振点が存在することによる効果について説明する。
【００２８】
書籍管理用ラベル１００が図２に示したように書籍９０に貼付された場合、書籍９０は誘電体で構成されているため、書籍９０に貼付された書籍管理用ラベル１００のアンテナの周波数特性が低い周波数方向にシフトすることになる。そのため、図３に示したピークポイントＡの周波数ｆaにてＩＣチップ１に対する情報の書き込み及び読み出しを行っていた場合、リターンロス曲線が図３中Ｘ方向に移動し、ピークポイントＡが周波数ｆaからずれてしまい、ＩＣチップ１に対する情報の書き込み及び読み出しが不可能となってしまう。
【００２９】
ところが、本形態においては、アンテナ部２における共振点となるピークポイントＡと、導電体部３における共振点となるピークポイントＢとの２つの共振点が存在するため、リターンロス曲線が図３中Ｘ方向に移動し、ピークポイントＡが周波数ｆaからずれてしまった場合であっても、もう１つのピークポイントＢが周波数ｆaの近傍になれば、ＩＣチップ１に対する情報の書き込み及び読み出しが可能な状態となり、ＩＣチップ１に対する情報の書き込み／読み出し率が向上する。なお、ピークポイントＡの周波数は、アンテナ部２と導電体部３とのうち長い方となるアンテナ部２の長さｌ1をλ／２とすることにより、ＩＣチップ１に対する情報の書き込み及び読み出しを行う周波数ｆaに設定されている。
【００３０】
また、アンテナ部２と導電体部３とのうち短い方となる導電体部３の長さｌ2においては、その長さｌ2によって導電体部３における共振点の周波数ｆbが決まることになるが、例えば、上述したようにＩＣチップ１に対する情報の書き込みあるいは読み出しに用いる周波数を２．４５ＧＨｚとした場合、実用的に、周波数ｆbを５ＧＨｚ以下に設定しておけばよいことから、３．０×１０8[ｍ]／（５×１０9×（１×３）1/2）≒０．０３[ｍ]から、１．５ｃｍ以上としておくことが好ましい。
【００３１】
また、ＩＣチップ１に対する情報の書き込み及び読み出しにおいては、リターンロスが−１５ｄＢ以下の場合にて可能となるが、図３に示したリターンロス曲線はアンテナ部２と導電体部３との間隔ｄによっても変化し、アンテナ部２と導電体部３との間隔ｄが、本形態のようにλ／６あるいはそれ以下である場合に、リターンロスが−１５ｄＢ以下となる領域が増大する。
【００３２】
なお、本形態においては、樹脂シート３１とフィルムシート３２とが粘着剤２０ｃを介して接着されてベース基材３０が構成され、導電体部３及びアンテナ部２がベース基材３０に挟まれるように樹脂シート３１上に形成され、また、ＩＣチップ１が導電領域２ａ，２ｂに接続されてベース基材３０に挟まれた状態となっているが、本発明はこのような構成に限定せず、最も単純な構成として、ベース基材３０を樹脂シート３１の１層のみから構成するものであってもよい。その場合、樹脂シート３１には、導電体部３及びアンテナ部２が形成されるとともに、ＩＣチップ１が導電領域２ａ，２ｂと接続されて搭載され、また、粘着剤２０ｃを介して剥離紙４０が貼付されることになる。また、表面シート１０を設けずに、ベース基材３０に折り線１２を設け、ベース基材３０そのものを折り曲げ可能な構成とすることも考えられる。
【００３３】
（第２の実施の形態）
図４は、本発明の書籍管理用ラベルの第２の実施の形態を示す図であり、（ａ）は上面図、（ｂ）は（ａ）に示したＡ−Ａ’断面図、（ｃ）は（ｂ）に示した樹脂シート１３１上の構成を示す図である。
【００３４】
本形態は図４に示すように、粘着剤１２０ｃを介して互いに接着された樹脂シート１３１とフィルムシート１３２とからなるベース基材１３０のフィルムシート１３２側に第１の粘着剤１２０ａを介して剥離紙１４０が貼付され、また、ベース基材１３０の樹脂シート１３１側に第２の粘着剤１２０ｂを介して表面シート１１０が貼付されて構成されている。
【００３５】
樹脂シート１３１上には、２つの帯状の導電領域１０２ａ，１０２ｂからなるアンテナ部１０２と、帯状の導電体部１０３とが形成されており、また、２つの導電領域１０２ａ，１０２ｂは、互いに直列に並ぶように所定の間隔を有して形成されており、この２つの導電領域１０２ａ，１０２ｂに接続されるようにＩＣチップ１０１が搭載されて構成されている。ＩＣチップ１０１は、アンテナ部１０２を介して非接触状態にて情報の書き込み及び読み出しが可能なものである。また、アンテナ部１０２と導電体部１０３とは互いに略平行に形成されており、アンテナ部１０２の長さｌ1と導電体部１０３の長さｌ2とは、ｌ1＜ｌ2の関係となっている。さらに、ＩＣチップ１０１に対する情報の書き込み及び読み出しは、外部に設けられた情報書込／読出装置（不図示）によって特定の周波数を用いて行われることになるが、その周波数とベース基材１３０の透磁率及び誘電率とによって求まる波長をλとした場合、アンテナ部１０２と導電体部１０３とのうち長い方となる導電体部１０３の長さｌ2は、λ／２となっている。また、アンテナ部１０２と導電体部１０３との間隔ｄは、λ／６となっている。
【００３６】
また、表面シート１１０は、感熱紙、ユポ紙あるいは紙からなり、ベース基材１３０に対して長手方向がさらに長くなっており、折り曲げ可能な折り線１１２が形成され、折り線１１２を介してベース基材１３０が貼付された側が第１の領域１１１ａとなり、折り線１１２を介して反対側が、第１の領域１１１ａよりも狭い第２の領域１１１ｂとなっている。なお、表面シート１１０のベース基材１３０が貼付された面側の全面には粘着剤１２０ｂが塗布されており、この粘着剤１２０ｂによって、第１の領域１１１ａはベース基材１３０と、第２の領域１１１ｂは剥離紙１４０とそれぞれ接着されている。
【００３７】
上記のように構成された書籍管理用ラベルにおいても、アンテナ部１０２の長さｌ1と導電体部１０３の長さｌ2とが互いに異なり、かつ、アンテナ部１０２と導電体部１０３とのうち長い方となる導電体部１０３の長さｌ2が、ＩＣチップ１０１に対する情報の書き込み及び読み出しに用いる周波数とベース基材１３０の透磁率及び誘電率とから求まる波長λの１／２となっているため、ＩＣチップ１０１に対して情報の書き込み及び読み出しが可能となる共振点が２つ存在し、それにより、この書籍管理用ラベルが書籍に貼付された場合に、ＩＣチップ１０１に対する情報の書き込み／読み出し率を向上させることができる。
【００３８】
また、図４に示した書籍管理用ラベルにおいては、樹脂シート１３１上に形成されたアンテナ部１０２及び導電体部１０３が、アンテナ部１０２の長さｌ1と導電体部１０３の長さｌ2との関係が、ｌ1＜ｌ2となるように形成されているため、導電体部１０３がアンテナ部１０２の反射器として作用し、また、アンテナ部１０２が折り線１１２側に形成されているため、電波が折り線１１２側に伝搬されることになる。それにより、書籍管理用ラベルが図２に示したものと同様に書籍９０に貼付された場合、書籍９０の背表紙側における通信距離が最大となり、書籍９０が書棚等に収納された状態において、背表紙側から情報の書き込みあるいは読み出しを行うことができる。
【００３９】
なお、本形態においては、樹脂シート１３１とフィルムシート１３２とが粘着剤１２０ｃを介して接着されてベース基材１３０が構成され、導電体部１０３及びアンテナ部１０２がベース基材１３０に挟まれるように樹脂シート１３１上に形成され、また、ＩＣチップ１０１が導電領域１０２ａ，１０２ｂに接続されてベース基材１３０に挟まれた状態となっているが、本発明はこのような構成に限定せず、最も単純な構成として、ベース基材１３０を樹脂シート１３１の１層のみから構成するものであってもよい。その場合、樹脂シート１３１には、導電体部１０３及びアンテナ部１０２が形成されるとともに、ＩＣチップ１０１が導電領域１０２ａ，１０２ｂと接続されて搭載され、また、粘着剤１２０ｃを介して剥離紙１４０が貼付されることになる。また、表面シート１１０を設けずに、ベース基材１３０に折り線１１２を設け、ベース基材１３０そのものを折り曲げ可能な構成とすることも考えられる。
【００４０】
（第３の実施の形態）
図５は、本発明の書籍管理用ラベルの第３の実施の形態を示す図であり、（ａ）は上面図、（ｂ）は（ａ）に示したＡ−Ａ’断面図、（ｃ）は（ｂ）に示した樹脂シート２３１上の構成を示す図である。
【００４１】
本形態は図５に示すように、粘着剤２２０ｃを介して互いに接着された樹脂シート２３１とフィルムシート２３２とからなるベース基材２３０のフィルムシート２３２側に第１の粘着剤２２０ａを介して剥離紙２４０が貼付され、また、ベース基材２３０の樹脂シート２３１側に第２の粘着剤２２０ｂを介して表面シート２１０が貼付されて構成されている。
【００４２】
樹脂シート２３１上には、２つの帯状の導電領域２０２ａ，２０２ｂからなるアンテナ部２０２と、帯状の導電体部２０３ａ，２０３ｂとが形成されており、また、２つの導電領域２０２ａ，２０２ｂは、互いに直列に並ぶように所定の間隔を有して形成されており、この２つの導電領域２０２ａ，２０２ｂに接続されるようにＩＣチップ２０１が搭載されて構成されている。ＩＣチップ２０１は、アンテナ部２０２を介して非接触状態にて情報の書き込み及び読み出しが可能なものである。また、アンテナ部２０２と導電体部２０３ａ，２０３ｂとは互いに略平行に形成されており、アンテナ部２０２の長さｌ1と導電体部２０３ａの長さｌ2と導電体部２０３ｂの長さｌ3とは、ｌ2＞ｌ1＞ｌ3の関係となっている。さらに、ＩＣチップ２０１に対する情報の書き込み及び読み出しは、外部に設けられた情報書込／読出装置（不図示）によって特定の周波数を用いて行われることになるが、その周波数とベース基材２３０の透磁率及び誘電率とによって求まる波長をλとした場合、アンテナ部２０２と導電体部２０３ａ，２０３ｂとのうち最も長いものとなる導電体部２０３ａの長さｌ2は、λ／２となっている。また、アンテナ部２０２と導電体部２０３ａ，２０３ｂとの間隔ｄ1，ｄ2は、それぞれλ／６となっている。
【００４３】
また、表面シート２１０は、感熱紙、ユポ紙あるいは紙からなり、ベース基材２３０に対して長手方向がさらに長くなっており、折り曲げ可能な折り線２１２が形成され、折り線２１２を介してベース基材２３０が貼付された側が第１の領域２１１ａとなり、折り線２１２を介して反対側が、第１の領域２１１ａよりも狭い第２の領域２１１ｂとなっている。なお、表面シート２１０のベース基材２３０が貼付された面側の全面には粘着剤２２０ｂが塗布されており、この粘着剤２２０ｂによって、第１の領域２１１ａはベース基材２３０と、第２の領域２１１ｂは剥離紙２４０とそれぞれ接着されている。
【００４４】
上記のように構成された書籍管理用ラベルにおいては、樹脂シート２３１上に形成されたアンテナ部２０２及び導電体部２０３ａ，２０３ｂが、アンテナ部２０２の長さｌ1と導電体部２０３ａの長さｌ2と導電体部２０３ｂの長さｌ3との関係が、ｌ2＞ｌ1＞ｌ3となるように形成されているため、導電体部２０３ｂがアンテナ部２０２の導波器として作用し、かつ、導電体部２０３ａがアンテナ部２０２の反射器として作用することとなり、また、導波器として作用する導電体部２０３ｂが折り線２１２側に、反射器として作用する導電体部２０３ａがその反対側にそれぞれ形成されているため、電波が折り線２１２側に伝搬されていくことになる。それにより、書籍管理用ラベルが図２に示したものと同様に書籍９０に貼付された場合、書籍９０の背表紙側における通信距離が最大となり、書籍９０が書棚等に収納された状態において、背表紙側から情報の書き込みあるいは読み出しを行うことができる。
【００４５】
以下に、上述した書籍管理用ラベルの動作について説明する。
【００４６】
図６は、図５に示した書籍管理用ラベルの動作を説明するための図であり、ＩＣチップ２０１に対する情報の書き込みあるいは読み出しに用いる周波数に対する非接触型情報記録媒体のリターンロスを示す。
【００４７】
図５に示した書籍管理用ラベルにおいては、アンテナ部２０２の長さｌ1と導電体部２０３ａの長さｌ2と導電体部２０３ｂの長さｌ3とが互いに異なり、かつ、アンテナ部２０２と導電体部２０３ａ，２０３ｂとのうち最も長いものとなる導電体部２０３ａの長さｌ2が、ＩＣチップ２０１に対する情報の書き込み及び読み出しに用いる周波数とベース基材２３０の透磁率及び誘電率とから求まる波長λの１／２となっているため、図６に示すように、導電体部２０３ａにおける共振点となるピークポイントＡと、アンテナ部２０２における共振点となるピークポイントＢと、導電体部２０３ｂにおける共振点となるピークポイントＣとの３つの共振点が存在することになる。
【００４８】
ここで、上述した波長λは、ＩＣチップ２０１に対する情報の書き込みあるいは読み出しに用いる周波数を２．４５ＧＨｚとし、ベース基材２３０をＰＥＴ（比透磁率：１、比誘電率：３）から構成した場合、３．０×１０8[ｍ]／（２．４５×１０9×（１×３）1/2）≒０．０７[ｍ]となる。そのため、この場合は、導電体部２０３ａの長さを３．５ｃｍとし、アンテナ部２０２及び導電体部２０３ｂの長さを３．５ｃｍよりも短くすれば、図６に示すように３つの共振点を得ることができる。なお、この共振点においては、アンテナ部２０２及び導電体部２０３ａ，２０３ｂが形成されるベース基材２３０の誘電率にも影響する。ベース基材２３０として、例えばセラミック等といった誘電率の高いものを用いた場合、それにより、アンテナ部２０２及び導電体部２０３ａ，２０３ｂにおける周波数特性が低い周波数方向にずれる。そのため、ベース基材２３０の誘電率によっては、アンテナ部２０２と導電体部２０３ａ，２０３ｂとのうち最も長いものとなる導電体部２０３ａの長さｌ1を、λ／２としてλ／６程度まで短くすることができる。
【００４９】
上述したように本形態においては、導電体部２０３ａにおける共振点となるピークポイントＡと、アンテナ部２０２における共振点となるピークポイントＢと、導電体部２０３ｂにおける共振点となるピークポイントＣとの３つの共振点が存在するため、書籍管理用ラベルが書籍に貼付されることによって、リターンロス曲線が図６中Ｘ方向に移動し、ピークポイントＡが、ＩＣチップ２０１に対して情報の書き込み及び読み出しを行うための周波数ｆaからずれてしまった場合であっても、残りの２つのピークポイントＢ，Ｃのいずれかが周波数ｆaの近傍になれば、ＩＣチップ２０１に対する情報の書き込み及び読み出しが可能な状態となり、ＩＣチップ２０１に対する情報の書き込み／読み出し率が向上する。
【００５０】
また、アンテナ部２０２と導電体部２０３ａ，２０３ｂとのうち最も短いものとなる導電体部２０３ｂの長さｌ3においては、その長さｌ3によって導電体部２０３ｂにおける共振点の周波数ｆcが決まることになるが、例えば、上述したようにＩＣチップ２０１に対する情報の書き込みあるいは読み出しに用いる周波数を２．４５ＧＨｚとした場合、実用的に、共振周波数ｆcを５ＧＨｚ以下に設定しておけばよいことから、３．０×１０8[ｍ]／（５×１０9×（１×３）1/2）≒０．０３[ｍ]から、１．５ｃｍ以上としておくことが好ましい。
【００５１】
また、ＩＣチップ２１０に対する情報の書き込み及び読み出しにおいては、リターンロスが−１５ｄＢ以下の場合にて可能となるが、図６に示したリターンロス曲線はアンテナ部２０２と導電体部２０３ａ，２０３ｂとの間隔によっても変化し、アンテナ部２０２と導電体部２０３ａ，２０３ｂとの間隔ｄ1，ｄ2が、本形態のようにλ／６あるいはそれ以下である場合に、リターンロスが−１５ｄＢ以下となる領域が増大する。
【００５２】
なお、本形態においては、樹脂シート２３１とフィルムシート２３２とが粘着剤２２０ｃを介して接着されてベース基材２３０が構成され、導電体部２０３ａ，２０３ｂ及びアンテナ部２０２がベース基材２３０に挟まれるように樹脂シート２３１上に形成され、また、ＩＣチップ２０１が導電領域２０２ａ，２０２ｂに接続されてベース基材２３０に挟まれた状態となっているが、本発明はこのような構成に限定せず、最も単純な構成として、ベース基材２３０を樹脂シート２３１の１層のみから構成するものであってもよい。その場合、樹脂シート２３１には、導電体部２０３ａ，２０３ｂ及びアンテナ部２０２が形成されるとともに、ＩＣチップ２０１が導電領域２０２ａ，２０２ｂと接続されて搭載され、また、粘着剤２２０ｃを介して剥離紙２４０が貼付されることになる。また、表面シート２１０を設けずに、ベース基材２３０に折り線２１２を設け、ベース基材２３０そのものを折り曲げ可能な構成とすることも考えられる。
【図面の簡単な説明】
【００５３】
【図１】本発明の書籍管理用ラベルの第１の実施の形態を示す図であり、（ａ）は上面図、（ｂ）は（ａ）に示したＡ−Ａ’断面図、（ｃ）は（ｂ）に示した樹脂シート上の構成を示す図である。
【図２】図１に示した書籍管理用ラベルの使用方法を説明するための図である。
【図３】図１に示した書籍管理用ラベルの動作を説明するための図である。
【図４】本発明の書籍管理用ラベルの第２の実施の形態を示す図であり、（ａ）は上面図、（ｂ）は（ａ）に示したＡ−Ａ’断面図、（ｃ）は（ｂ）に示した樹脂シート上の構成を示す図である。
【図５】本発明の書籍管理用ラベルの第３の実施の形態を示す図であり、（ａ）は上面図、（ｂ）は（ａ）に示したＡ−Ａ’断面図、（ｃ）は（ｂ）に示した樹脂シート上の構成を示す図である。
【図６】図５に示した書籍管理用ラベルの動作を説明するための図である。
【符号の説明】
【００５４】
１，１０１，２０１    ＩＣチップ
２，１０２，２０２    アンテナ部
２ａ，２ｂ，１０２ａ，１０２ｂ，２０２ａ，２０２ｂ    導電領域
３，１０３，２０３ａ，２０３ｂ    導電体部
１０，１１０，２１０    表面シート
１１ａ，１１１ａ，２１１ａ    第１の領域
１２ａ，１１２ａ，２１２ａ    第２の領域
１２，１１２，２１２    折り線
２０ａ〜２０ｃ，１２０ａ〜１２０ｃ，２２０ａ〜２２０ｃ    粘着剤
３０，１３０，２３０    ベース基材
３１，１３１，２３１    樹脂シート
３２，１３２，２３２    フィルムシート
４０，１４０，２４０    剥離紙
９０    書籍
１００    書籍管理用ラベル
【図１】
2006065745.tif 000003
【図２】
2006065745.tif 000004
【図３】
2006065745.tif 000005
【図４】
2006065745.tif 000006
【図５】
2006065745.tif 000007
【図６】
2006065745.tif 000008